(57)【特許請求の範囲】
【請求項１】
直線棒状の櫛歯ベースに複数の櫛歯を並設した半櫛体の一対を、前記櫛歯同士および櫛歯ベース同士を密接状に組み合わせて一つの櫛体に構成し、前記組み合わされる半櫛体の櫛歯の組み合わせ面のそれぞれに、並設方向に沿って溝部を対向形成し、少なくとも片方の半櫛体の櫛歯ベースに柄を一体設し、前記櫛体の櫛歯列の少なくとも一端に、溝部の無い枠櫛歯を設けた二液塗布用櫛。
【請求項２】
一対の半櫛体の櫛歯ベースのそれぞれに、密接状に組み合わさる柄を一体設した請求項１に記載の二液塗布用櫛。
【請求項３】
一対の半櫛体を密接状に組み合わせ可能に、少なくとも櫛歯ベース部分でヒンジ結合した請求項１または２に記載の二液塗布用櫛。
【請求項４】
密接状に組み合わさる一対の半櫛体の少なくとも櫛歯の組み合わせ面間に、前記密接状の組み付きを保持する結合機能部を形成した請求項１ないし３の何れか１項に記載の二液塗布用櫛。
【請求項５】
結合機能部を、嵌合穴と該嵌合穴に嵌合係止する嵌合突片の組み合わせで構成した請求項４に記載の二液塗布用櫛。
【発明の詳細な説明】
【技術分野】
【０００１】
本発明は、毛染液等の使用時に二液を混ぜて毛髪に塗布する二液性毛髪化粧液の塗布用櫛に関するものである。
【背景技術】
【０００２】
使用時に二液を混合する毛髪化粧液を毛髪に塗布する塗布用の櫛としては、二つのエアゾール容器に別々に収納された毛髪化粧液を、各エアゾール容器から同時に噴出させ、途中で二液を混合させてから櫛の櫛歯間に吐出させるのが一般的な構成であるが、このものにあっては、二液の混合を得るためにエアゾール容器を必要とするので、全体構成が複雑で高価となると云う不満があり、また使用対象となり得る毛髪化粧液は粘度の低いものに限定され、一般的な二液性毛染液のようにペースト状の毛髪化粧液は使用対象とならないと云う不満があった。
【０００３】
このような不満に答える従来技術として、特開平０９−２６６８１４公報には、ブラシ台の表面に少なくとも三列のブラシ片列を並設し、一方のブラシ列間に第１内容液を、他方のブラシ列間に第２内容液を吐出して、両ペースト状の内容液を略隣接した状態で並列に位置させ、この並列に位置させた両内容液を、毛髪を梳きながら混合させて塗布するようにした技術が開示されている。
【０００４】
この従来技術は、内容液の収納容器として、高価なエアゾール容器を要することなく、安価なチューブ容器を利用できること、内容液をブラシ表面に直接吐出するので、ペースト状の粘度の高い内容液の使用を有利に行うことができると共に、その取扱いが簡単である、と云う利点を有している。
【先行技術文献】
【特許文献】
【０００５】
【特許文献１】特開平０９−２６６８１４公報
【発明の概要】
【発明が解決しようとする課題】
【０００６】
しかしながら、上記した従来技術にあっては、ブラシ表面に吐出された第１および第２の内容液は、互いに並列状に位置しているとは言え別々であり、このためブラシによる毛髪の梳き動作形態のわずかな変化によっては、両内容液の混合に斑が生じることがあり、これにより両内容液の混合塗布斑が発生する場合がある、と云う問題があった。
【０００７】
そこで本発明は、上記した従来技術の問題点を解消すべく創案されたもので、櫛の櫛歯に吐出した両内容液を一体化させることを技術的課題とし、もって梳き動作により毛髪に塗布される両内容液の混合比を必然的に正確となるようにし、これにより混合塗布斑のない塗布を得ることを目的とする。
【課題を解決するための手段】
【０００８】
上記技術的課題を解決する手段の内、本発明の主たる構成は、
直線棒状の櫛歯ベースに複数の櫛歯を並設して半櫛体を構成すること、
この半櫛体の一対を、櫛歯同士および櫛歯ベース同士を密接状に組み合わせて一つの櫛体に構成すること、
この組み合わされる一対の半櫛体の櫛歯の組み合わせ面のそれぞれに、並設方向に沿って溝部を対向形成すること、
少なくとも片方の半櫛体の櫛歯ベースに柄を一体設すること、
櫛体の櫛歯列の少なくとも一端に、溝部の無い枠櫛歯を設けること、
にある。
【０００９】
組み合わされる一対の半櫛体の櫛歯の組み合わせ面のそれぞれには、並設方向に沿って溝部が対向形成されているが、この溝部は櫛歯の並列方向に沿って形成されているので、櫛歯間で断続した一つの長い溝を形成することになる。このためこの溝に長さ方向に沿って内容液を吐出する際、櫛歯の位置および数を目安とすることにより、内容液の吐出量を略正確に設定することが可能となる。
【００１０】
一方の半櫛体の溝に略定量の第１内容液を吐出し、他方の半櫛体の溝に略定量の第２内容液を吐出した一対の半櫛体を、密接状に組み合わせて一つの櫛体を構成すると、両半櫛体の溝は組み合わさって暗渠状の一つの溝を構成するが、この際、第１内容液と第２内容液は、混合することなしに重なって一体化する。このため第１内容液と第２内容液は、必ず一体化した状態で毛髪に塗布されることになる。
【００１１】
この櫛体の櫛歯に位置した第１内容液および第２内容液の毛髪への塗布は、通常の櫛と同様に、櫛歯ベースに一体設された柄を持って行うので、両内容液の毛髪への塗布は、特別の操作を要することなく、通常の櫛を用いた場合と同じに行うことができる。櫛体の櫛歯列の少なくとも一端に、溝部の無い枠櫛歯を設けたので、両半櫛体を密接状に組み合わせて櫛体を構成した際に、この櫛体に形成される暗渠状の溝の一端を枠櫛歯が塞ぐことになる。
【００１２】
本発明の別の構成は、上記した主たる構成に加えて、一対の半櫛体の櫛歯ベースのそれぞれに、密接状に組み合わさる柄を一体設した、ものである。
【００１３】
一対の半櫛体の櫛歯ベースのそれぞれに、密接状に組み合わさる柄を一体設したものにあっては、櫛体と柄の結合を強固で安定したものとすることができるので、櫛により毛髪を安定して梳くことができる。
【００１４】
また、本発明の別の構成は、上記した主たる構成に加えて、一対の半櫛体を密接状に組み合わせ可能に、少なくとも櫛歯ベース部分でヒンジ結合した、ものである。
【００１５】
一対の半櫛体を密接状に組み合わせ可能に、少なくとも櫛歯ベース部分でヒンジ結合したものにあっては、一対の半櫛体のヒンジによる一体結合により、両半櫛体の相互位置関係が安定して一定に維持されることになる。
【００１８】
また、本発明の別の構成は、上記した主たる構成に加えて、密接状に組み合わさる一対の半櫛体の少なくとも櫛歯の組み合わせ面間に、密接状の組み付きを保持する結合機能部を形成した、ものである。
【００１９】
密接状に組み合わさる一対の半櫛体の少なくとも櫛歯の組み合わせ面間に、結合機能部を形成したものにあっては、一対の半櫛体の密接状の組み付き、特に櫛歯の組み付きを強固で安定した状態に維持することになる。
【００２０】
また、本発明の別の構成は、上記した密接状に組み合わさる一対の半櫛体の少なくとも櫛歯の組み合わせ面間に設けた結合機能部を、嵌合穴とこの嵌合穴に嵌合係止する嵌合突片の組み合わせで構成した、ものである。
【００２１】
結合機能部を、嵌合穴とこの嵌合穴に嵌合係止する嵌合突片の組み合わせで構成したものにあっては、結合機能部を簡単に構成することができると共に、その着脱操作を簡単なものとすることができる。
【発明の効果】
【００２２】
本発明は、上記した構成となっているので、以下に示す効果を奏する。
組み合わされる両半櫛体の溝部に吐出される内容液は、櫛歯の位置や数を目安として、その吐出量を略正確に知ることが可能であるので、吐出される両内容液を略正確に計量することができ、これにより両内容液の正確な比率での混合を得ることができ、両内容液の適正な作用を得ることができる。
【００２３】
吐出された第１内容液と第２内容液は、必ず一体化した状態で毛髪に塗布されることになるので、両内容液の毛髪に対する塗布は、その塗布操作の変化に関わりなく、常に一定しており、これにより両内容液の斑のない均一な塗布状態を常に得ることができる。
【００２４】
両内容液の毛髪への塗布は、特別の操作を要することなく、通常の櫛を用いた場合と同じに行うことができるので、両内容液の毛髪に対する良好な塗布を簡単に得ることができる。櫛体に形成される暗渠状の溝の一端を枠櫛歯が塞ぐことになるので、櫛体に形成される暗渠状の溝の一端から、第１内容液と第２内容液の組み合わせ物、不都合に押出されることがなく、吐出した両内容液の適切な保持状態を得ることができる。
【００２５】
一対の半櫛体の櫛歯ベースのそれぞれに、密接状に組み合わさる柄を一体設したものにあっては、櫛により毛髪を安定して梳くことができるので、両内容液の毛髪への塗布を確実に安定して行うことができる。
【００２６】
一対の半櫛体を密接状に組み合わせ可能に、少なくとも櫛歯ベース部分でヒンジ結合したものにあっては、両半櫛体の相互位置関係が安定して一定に維持されるので、一対の半櫛体の取り扱いを、正確にかつ簡単に行うことができる。
【００２８】
密接状に組み合わさる一対の半櫛体の少なくとも櫛歯の組み合わせ面間に、結合機能部を形成したものにあっては、一対の半櫛体の密接状の組み付き、特に櫛歯の組み付きを強固で安定した状態に維持することになるので、安定した梳き動作を得ることができて、両内容液の斑のない塗布を得ることができる。
【００２９】
結合機能部を、嵌合穴とこの嵌合穴に嵌合係止する嵌合突片の組み合わせで構成したものにあっては、結合機能部を簡単に構成することができると共に、その着脱操作を簡単なものとすることができるので、取り扱いの簡単な櫛を安価に得ることができる。
【図面の簡単な説明】
【００３０】
【図１】本発明の参考例を示す、展開した状態時の取り扱い説明図である。
【図２】図１の参考例を、使用可能に組み合わせた説明図である。
【図３】櫛歯による内容液保持状態を示す、詳細拡大断面説明図である。
【図４】本発明の実施形態例を示す、展開した状態時の取り扱い説明図である。
【図５】図４の実施形態例を、使用可能に組み合わせた説明図である。
【図６】結合機能部の構成例を示す、要部拡大断面説明図である。
【発明を実施するための形態】
【００３１】
以下、図面を参照して、本発明の実施形態例および参考例について説明する。図１および図２の基本的な参考例に示された櫛１は、一方半櫛体２ａと他方半櫛体２ｂと、一方半櫛体２ａおよび他方半櫛体２ｂのそれぞれに一体設された柄７とから構成されており、一方半櫛体２ａと他方半櫛体２ｂおよび２分割された柄７は、一つのヒンジ８により一体に連結されている。
【００３２】
一方半櫛体２ａは、直線棒状の一方櫛歯ベース５ａに複数の一方櫛歯３ａを一列に並設しており、一方の柄７は一方櫛歯ベース５ａに一体設されている。同様に他方半櫛体２ｂは、直線棒状の他方櫛歯ベース５ｂに複数の他方櫛歯３ｂを一列に並設しており、他方の柄７は他方櫛歯ベース５ｂに一体設されている。一方半櫛体２ａと他方半櫛体２ｂは、密接状に組み合わさって一つの櫛体を構成する（図２参照）ように、一体成形された一つの櫛体を、梳き方向に２分割したような構成となっている。
【００３３】
一方櫛歯３ａと他方櫛歯３ｂの対向した組み合わせ面には、一方溝部４ａおよび他方溝部４ｂが切欠き状に設けられて、各櫛歯の並設方向に沿って櫛歯間で断続した溝を形成しているが、この溝には、一方に第１内容液１０が、また他方に第２内容液１１が吐出（図１参照）されるようにしている。
【００３４】
この溝に対する内容液の吐出に際して、内容液は溝内に長さ方向に沿って吐出されるが、この吐出された内容液の始端部および終端部が位置する櫛歯の位置を合わせることにより、第１内容液１０と第２内容液１１の吐出量を略正確に等量に計量することができることになる。また、全体塗布や部分塗布等の使用目的に応じて、溝内に対する内容液の吐出位置を正確に設定することができるので、使用目的に応じた使い分けが容易である。
【００３５】
図１に示すように、一方半櫛体２ａ側に第１内容液１０を、また他方半櫛体２ｂ側に第２内容物１１を略等量吐出してから、図２に示すように、両半櫛体２ａ、２ｂを閉じるようにして組み合わせると、両内容液１０、１１が位置する溝は暗渠状となり、このため溝に位置していた両内容液１０、１１は、図３に示すように、一体化されると共に、殆どの場合、櫛歯間に少しはみ出して櫛歯に安定して保持される。
【００３６】
図４および図５に示した本発明の実施形態例は、一方櫛歯３ａおよび他方櫛歯３ｂの列端に、一方溝部４ａおよび他方溝部４ｂのない枠櫛歯６を設け、これにより溝部により形成される溝の一端を塞ぐようにしたものである。
【００３７】
この枠櫛歯６を設けた場合には、図５に示すように、両半櫛体２ａ、２ｂを閉じて櫛１を組み立てた状態で、両半櫛体２ａ、２ｂ間に形成される溝の一端が塞がれた状態となるので、両半櫛体２ａ、２ｂを閉じて櫛１を組み立てた際に、溝内で一体化された両内容液１０、１１の一部が、溝の一端から押し出される状態となることがない。
【００３８】
図６は、一方櫛歯３ａと他方櫛歯３ｂ、一方櫛歯ベース５ａと他方櫛歯ベース５ｂ、さらには両柄７の密接状に組み合わさる組み合わせ面間に形成される結合機能部９の構成例を示す拡大断面図で、この結合機能部９は、両半櫛体２ａ、２ｂに密接状の組み付きを強固に保持するためのもので、嵌合穴９ａと嵌合突片９ｂから構成されており、嵌合穴９ａは、その開口部内周に係合突条を有し、嵌合突片９ｂは、突出端部の外周に、嵌合穴９ａの係合突条に乗り越え係止する係止周条を有している。
【００３９】
次に、図示した櫛１による両内容液１０、１１の塗布動作例を説明する。
一方半櫛体２ａに吐出された第１内容液１０と、他方半櫛体２ｂに吐出された第２内容液１１は、一方半櫛体２ａと他方半櫛体２ｂを閉じることにより、図３に示したように、
一方櫛歯３ａと他方櫛歯３ｂにより一体化されて保持される。
【００４０】
このため、図３に示した状態で毛髪を梳くと、両内容液１０、１１は必ず一緒に毛髪に混合されながら塗布されることなり、その塗布量および状態が不均一になることはない。
【００４１】
また、両溝部４ａ、４ｂ内に位置した両内容液１０、１１は、それ自体が有する粘性により、櫛歯間を通過する毛髪に引き出されて、そのまま毛髪に一緒に塗布されるので、両両内容液１０、１１は均一に塗布されると共に、両溝部４ａ、４ｂ内に残留するのはきわめて微量となる。
【００４２】
このように毛髪に対する両内容液１０、１１の塗布動作は、櫛歯による毛髪の梳き動作により達成されるのであるが、この櫛歯による毛髪の梳き動作時における、毛髪と保持された両内容液１０、１１の相互姿勢は一定であるので、毛髪に対する両内容液１０、１１の塗布状態は常に一定に保持されることになり、これにより両内容液１０、１１の毛髪に対する一定して適正な塗布が安定して得られることになる。
【００４３】
内容液１０、１１の塗布を終了した櫛１は、閉じた状態の両櫛体２ａ、２ｂを開いて洗浄し、次の使用に備えることになるが、この洗浄は両櫛体２ａ、２ｂが開いた状態となっているので、簡単にかつ十分に行うことができる。
【００４４】
なお、図示実施例として、両半櫛体２ａ、２ｂおよび２分割された柄７の位置合せした組み付けを、ヒンジ８で行う構成例を示したが、本発明の構成はこれに特定されることはなく、例えば結合機能部９を必要とする複数個所に設ける構成としてもよい。
【００４５】
また、柄７を分割して両半櫛体２ａ、２ｂに一体設した構成例を示したが、本発明のこれに特定されることはなく、片方の半櫛体にだけ柄７を一体設することも可能である。
【産業上の利用可能性】
【００４６】
以上説明したように、本発明の二液塗布用櫛は、一緒に塗布されなければならない両内容液を一体化して保持した状態で塗布することができるので、特に二液を一緒に塗布することが強く望まれる塗布用櫛として幅広い利用展開が期待できる。
【符号の説明】
【００４７】
１  ；櫛
２ａ；一方半櫛体
２ｂ；他方半櫛体
３ａ；一方櫛歯
３ｂ；他方櫛歯
４ａ；一方溝部
４ｂ；他方溝部
５ａ；一方櫛歯ベース
５ｂ；他方櫛歯ベース
６  ；枠櫛歯
７  ；柄
８  ；ヒンジ
９  ；結合機能部
９ａ；嵌合穴
９ｂ；嵌合突片
１０；第１内容液
１１；第２内容液
【図１】
0005549978.tif 000002
【図２】
0005549978.tif 000003
【図３】
0005549978.tif 000004
【図４】
0005549978.tif 000005
【図５】
0005549978.tif 000006
【図６】
0005549978.tif 000007